(57)【要約】【課題】ノイズの混在を極力排除してエレベータのかごドアの開閉動作における異常音を精度良く適確に診断できるエレベータ用異常音診断システムを提供する。【解決手段】このシステムにおいて、監視装置１０に備えられた制御回路１０ｂは、乗りかご１に設けられたかご内インターホン３及びかご上インターホン４により取得された音声データからかごドア２の開閉動作時の動作音を検出した結果に基づいて異常音を診断するが、ここでは制御盤９に対して乗りかご１を乗り場から離れた位置に停止させる指令信号を送出し、制御盤９により乗りかご１を乗り場から離れた位置に停止させ、その状態でかごドア２を開閉動作させたときに発生するドア動作音を各インターホン３、４により集音したドア動作音データを音声データとして用いて異常音の診断を行う。各インターホン３、４による音声データの集音は、乗り場に設けられた乗り場ドア（略図）が閉状態のときに行う。【選択図】図１
2013049546.tif 000002
【特許請求の範囲】
【請求項１】
エレベータの乗りかごに設けられた集音手段により集音された音声データから監視手段が前記乗りかごにおけるかごドアの開閉動作時の動作音を検出した結果に基づいて異常音を診断するエレベータ用異常音診断方法において、
建物に設備された昇降路で前記乗りかごを走行・停止の動作を含めて昇降運転する運転動作、並びに前記かごドアの開閉動作を制御する制御手段により前記乗りかごを乗り場から離れた位置に停止させ、前記かごドアを開閉動作させたときに発生するドア動作音を前記集音手段により集音したドア動作音データを前記音声データとして用い、前記監視手段による前記異常音の診断に供することを特徴とするエレベータ用異常音診断方法。
【請求項２】
請求項１記載のエレベータ用異常音診断方法において、前記音声データは、前記乗り場に設けられた乗り場ドアを閉状態にして前記集音手段により集音することを特徴とするエレベータ用異常音診断方法。
【請求項３】
建物に設備された昇降路でエレベータの乗りかごを走行・停止の動作を含めて昇降運転する運転動作、並びに前記乗りかごにおけるかごドアの開閉動作を制御する制御手段と、前記乗りかごに設けられて前記かごドアの開閉動作時に集音して音声データを取得する集音手段と、前記集音手段により取得された前記音声データから前記かごドアの開閉動作時の動作音を検出した結果に基づいて異常音を診断する監視手段と、を備えたエレベータ用異常音診断システムにおいて、
前記監視手段は、前記制御手段により前記乗りかごを乗り場から離れた位置に停止させ、前記かごドアを開閉動作させたときに発生するかご音声を前記集音手段により集音したかご音声データを前記音声データとして用いて前記異常音の診断を行うことを特徴とするエレベータ用異常音診断システム。
【請求項４】
請求項３記載のエレベータ用異常音診断システムにおいて、前記集音手段は、前記乗り場に設けられた乗り場ドアが閉状態であるときに前記音声データを集音することを特徴とするエレベータ用異常音診断システム。
【請求項５】
請求項３又は４記載のエレベータ用異常音診断システムにおいて、前記集音手段は、前記乗りかご内に設けられたかご内インターホンを含み、前記制御手段は、前記乗りかごの運転動作、並びに前記かごドアの開閉動作を制御する制御盤であり、前記監視手段は、前記制御盤に対して前記乗りかごを前記乗り場から離れた位置に停止させるための指令信号を送出する監視装置であることを特徴とするエレベータ用異常音診断システム。
【発明の詳細な説明】
【技術分野】
【０００１】
本発明は、乗りかごを昇降運転するエレベータのかごドアの開閉動作に伴う異常音の診断を適確に行うのに好適なエレベータ用異常音診断方法及びシステムに関する。
【背景技術】
【０００２】
一般に、エレベータは複数の摺動部を有しており、乗りかごの昇降運転や、かごドアの開閉動作が繰り返し行われるため、摺動部に油切れや変形が生じること、或いは異物が挟まること等により、かごドアの開閉動作時に異常音を発生することがある。特にかごドアの開端部は、開閉動作によりドア用レールの油かすが溜まり易いため、これが要因となって異常音を発生し易いことが知られている。
【０００３】
通常、かごドアの開閉動作時に異常音が発生すると、エレベータの利用者や管理者により通報を受けた保守点検業者（技術員）が現地へ赴いて対処する。ところが、通報人である利用者や管理者が専門知識に乏しい場合も少なくなく、こうした場合には保守点検業者が事前情報を持たないため、現地で点検作業を開始するまでに異常音発生の原因を推定し難いこともしばしばある。特に、通報人の記憶が曖昧であったり、或いは不在であると、保守点検業者が現地で実際にエレベータを動かし、乗りかごを昇降運転して異常音の発生箇所を見つけることから始めなければならず、対処作業に多大な時間を要してしまうこともある。
【０００４】
そこで、異常音発生の認知を迅速化するための技術も提案されており、係る周知技術としては、ドア開閉音の異常を遠隔監視装置から確認できるようにした「エレベータ遠隔監視システム」（特許文献１参照）や、エレベータの運行中にエレベータの異常音を周辺で発生する音と区別して検出する「エレベータの異常音検出装置及び方法」（特許文献２参照）が挙げられる。
【先行技術文献】
【特許文献】
【０００５】
【特許文献１】特開平１０−２０３７４５号公報
【特許文献２】特開２００１−２７８５６２号公報
【発明の概要】
【発明が解決しようとする課題】
【０００６】
上述した特許文献１の技術では、エレベータのかご（乗りかご）内のインターホンを利用し、ドア開閉音の異常を電話回線を通して遠隔監視装置から確認する手法によるものであるため、乗客の会話や足音等のノイズが音声データに混在すると、ドア開閉動作時の異常音の発生を適確に診断することが困難になってしまうという問題がある。
【０００７】
また、上述した特許文献２の技術では、エレベータのかご（乗りかご）内及びかご上に集音計を設置し、エレベータの運行状況に応じて各集音計で集音されたかご内音とかご上音とを比較してエレベータの異常音を検知するものであるため、ここでも乗客の会話や足音等のノイズが音声データに混在（特に共鳴したノイズが混在）すると、エレベータの異常音を適確に検知することが困難になってしまうという問題がある。
【０００８】
本発明は、このような問題点を解決すべくなされたもので、その技術的課題は、ノイズの混在を極力排除してエレベータのかごドアの開閉動作における異常音を精度良く適確に診断できるエレベータ用異常音診断方法及びシステムを提供することにある。
【課題を解決するための手段】
【０００９】
上記技術的課題を解決するため、本発明の第１の手段は、エレベータの乗りかごに設けられた集音手段により集音された音声データから監視手段が乗りかごにおけるかごドアの開閉動作時の動作音を検出した結果に基づいて異常音を診断するエレベータ用異常音診断方法において、建物に設備された昇降路で乗りかごを走行・停止の動作を含めて昇降運転する運転動作、並びにかごドアの開閉動作を制御する制御手段により乗りかごを乗り場から離れた位置に停止させ、かごドアを開閉動作させたときに発生するドア動作音を集音手段により集音したドア動作音データを音声データとして用い、監視手段による異常音の診断に供することを特徴とする。
【００１０】
第２の手段は、第１の手段において、音声データは、乗り場に設けられた乗り場ドアを閉状態にして集音手段により集音することを特徴とする。
【００１１】
第３の手段は、建物に設備された昇降路でエレベータの乗りかごを走行・停止の動作を含めて昇降運転する運転動作、並びに乗りかごにおけるかごドアの開閉動作を制御する制御手段と、乗りかごに設けられてかごドアの開閉動作時に集音して音声データを取得する集音手段と、集音手段により取得された音声データからかごドアの開閉動作時の動作音を検出した結果に基づいて異常音を診断する監視手段と、を備えたエレベータ用異常音診断システムにおいて、監視手段は、制御手段により乗りかごを乗り場から離れた位置に停止させ、かごドアを開閉動作させたときに発生するドア動作音を集音手段により集音したドア動作音データを音声データとして用いて異常音の診断を行うことを特徴とする。
【００１２】
第４の手段は、第３の手段において、集音手段は、乗り場に設けられた乗り場ドアが閉状態であるときに音声データを集音することを特徴とする。
【００１３】
第５の手段は、第３の手段又は第４の手段において、集音手段は、乗りかご内に設けられたかご内インターホンを含み、制御手段は、乗りかごの運転動作、並びにかごドアの開閉動作を制御する乗りかごの運転動作を制御する制御盤であり、監視手段は、制御盤に対して乗りかごを乗り場から離れた位置に停止させるための指令信号を送出する監視装置であることを特徴とする。
【発明の効果】
【００１４】
本発明によれば、エレベータの乗りかごを乗り場から離した位置で停止させた状態でかごドアを開閉動作し、そのときに乗りかごに設けられた集音手段で集音した音声データ（ドア動作音データ）に基づいて異常音の診断を行うため、ノイズの混在を極力排除してエレベータのかごドアの開閉動作における異常音を精度良く適確に診断することができる。この結果、保守点検業者にとっての異常音発生の認知が迅速に行われて速やかに対処できるため、産業上有益となる。
【図面の簡単な説明】
【００１５】
【図１】本発明の実施例１に係るエレベータ用異常音診断システムの基本構成を示した概略ブロック図である。
【図２】図１に示すエレベータ用異常音診断システムに含まれる乗りかご上に設けられる集音手段の設置位置を説明するために示した乗りかごの概略斜視図である。
【図３】図１に示すエレベータ用異常音診断システムによる異常音診断の処理手順を示したフローチャートである。
【図４】図１に示すエレベータ用異常音診断システムの要部である監視装置により診断された音声データを例示した波形図であり、（ａ）は異常音の発生要因が存在しない正常時の波形図、（ｂ）は異常音の発生要因が存在する異常音発生時の波形図である。
【発明を実施するための形態】
【００１６】
以下に、本発明のエレベータ用異常音診断方法及びシステムについて、実施例を挙げ、図面を参照して詳細に説明する。
【００１７】
最初に、本発明のエレベータ用異常音診断方法の技術的概要を簡単に説明する。このエレベータ用異常音診断方法は、エレベータの乗りかごに設けられた集音手段により集音された音声データから監視手段が乗りかごにおけるかごドア（内ドアとも呼ばれる）の開閉動作時の動作音を検出した結果に基づいて異常音を診断する際、建物に設備された昇降路で乗りかごを走行・停止の動作を含めて昇降運転する運転動作、並びにかごドアの開閉動作を制御する制御手段により乗りかごを乗り場から離れた位置に停止させ、かごドアを開閉動作させたときに発生するドア動作音を集音手段により集音したドア動作音データを音声データとして用い、監視手段による異常音の診断に供するものである。但し、ここでの音声データは、乗り場に設けられた乗り場ドア（外ドアとも呼ばれる）を閉状態にして集音手段により集音する。
【００１８】
係るエレベータ用異常音診断方法によれば、エレベータの乗りかごを乗り場から離した位置でかごドアを開閉動作し、そのときに乗りかごに設けられた集音手段で集音した音声データ（ドア動作音データ）に基づいて異常音の診断を行うため、ノイズの混在を極力排除してエレベータのかごドアの開閉動作における異常音を適確に診断することができる。
【実施例１】
【００１９】
本発明の実施例１に係るエレベータ用異常音診断システムの基本構成を示した概略ブロック図である。このエレベータ用異常音診断システムは、建物に設備された昇降路でかご用案内レール７に沿って昇降する乗りかご１と、乗りかご１の走行・停止の動作を含む運転動作、並びに乗りかご１におけるかごドア２の開閉動作を制御する制御盤９と、制御盤９に対して乗りかご１の昇降運転の動作についての指令信号を送出する監視装置１０と、監視装置１０に対して電話回線１１を介在してそれぞれ接続されると共に、遠隔した場所に設置される営業所端末１３、及び管制センタ１２と、を備えて構成される。営業所端末１３は、電話回線１１を介して管制センタ１２及び監視装置１０と接続され、これらの各部との間で相互にデータ授受できるコンピュータ機能を持つ。尚、監視装置１０や営業所端末１３は、複数台設備されるのが一般的であるが、図１中では簡略して１台分のみを示している。
【００２０】
このうち、乗りかご１内には、閉じ込め故障時等の非常事態発生時に乗員が外部の管理人室、管制センタ１２、営業所等へ通報を行うための集音手段を兼用したかご内インターホン３が設けられており、乗りかご１外の天井付近にはかごドア２の開閉移動を案内するためのドア用案内レール７が設けられている。また、乗りかご１外の天井には、かご内インターホン３と同様に保守点検業者が保守点検作業時に管制センタ１２や営業所等の外部と通話するための集音手段を兼用したかご上インターホン４と、かごドア２を開閉駆動させるための電動機（モータ）５と、制御盤９からの制御指令を受けて電動機５を回転駆動して乗りかご２の開閉動作を制御するドア制御装置６と、が設置されている。
【００２１】
制御盤９は、ドア制御装置６に接続されたＩ／Ｆ（インターフェース）回路９ａとこのＩ／Ｆ回路９ａに接続された制御回路９ｂとを有し、監視装置１０に備えられたかご内インターホン３及びかご上インターホン４に接続されたＩ／Ｆ回路１０ａとＩ／Ｆ回路１０に接続された制御回路１０ｂとに対し、Ｉ／Ｆ回路９ａ、１０ａ同士が接続されることにより、制御回路９ｂ、１０ｂ相互間でのＩ／Ｆ回路９ａ、１０ａを介在してのデータ授受が可能になっている。また、管制センタ１２においても、電話回線１１に接続されたＩ／Ｆ回路１２ａとＩ／Ｆ回路１２ａに接続された制御回路１２ｂとを有し、同様に監視装置１０に備えられたＩ／Ｆ回路１０ａ、制御回路１０ｂに対し、電話回線１１を通してＩ／Ｆ回路１２ａ、１０ａ同士が接続されることにより、制御回路１２ｂ、１０ｂ相互間でのＩ／Ｆ回路１２ａ、１０ａを介在しての電話回線１１経由でのデータ授受が可能になっている。更に、監視装置１０には、制御回路１０ｂに接続されてかご内インターホン３及びかご上インターホン４からの音声データが異常音か否かを判定するための閾値を記憶した異常音閾値記憶部１０ｃと、制御装置１０ｂに接続され、制御装置１０ｂがＩ／Ｆ回路１０ａを介してかご内インターホン３及びかご上インターホン４へサンプリング指令を発信して得られるサンプリングした音声データを記憶する音声データ記憶部１０ｄと、が備えられている。
【００２２】
ところで、監視装置１０に備えられた制御回路１０ｂは、乗りかご１に設けられたかご内インターホン３及びかご上インターホン４により取得された音声データからかごドア２の開閉動作時の動作音を検出した結果に基づいて異常音を診断する機能を持つが、ここでは制御盤９に対して乗りかご１を乗り場から離れた位置に停止させるための指令信号を送出し、制御盤９により乗りかご１を乗り場から離れた位置に停止させ、その状態でかごドア２を開閉動作させたときに発生するドア動作音をかご内インターホン３及びかご上インターホン４により集音したドア動作音データを音声データとして用いて異常音の診断を行う。但し、かご内インターホン３及びかご上インターホン４による音声データの集音は、乗り場に設けられた乗り場ドアが閉状態であるときに行う。
【００２３】
図２は、乗りかご１上に設けられる集音手段であるかご上インターホン４の設置位置を説明するために示した乗りかご１の概略斜視図である。かご上インターホン４は、特に異常音が発生し易い箇所として、乗りかご１の天井において、電動機５及びドア用案内レール７の近傍に設置することが望ましい。また、かご上インターホン４は、図２に示されるようにかごドア２が片開きドアであれば、ドア開端部の付近、即ち、乗りかご１上におけるドア開端部近傍のかご上角部に設置することが好ましい。このようなかご上インターホン４の設置箇所により、かごドア２の開閉動作に伴う異常音の発生を確実に集音することができるため、監視装置１０の制御回路１０ｂによる異常音診断の精度が向上する。
【００２４】
図３は、上述したエレベータ用異常音診断システムによる異常音診断の処理手順を示したフローチャートである。尚、異常音診断の処理は、上述したように主に監視装置１０の制御回路１０ｂにより行われるものである。
【００２５】
異常音診断の処理手順では、動作開始により監視装置１０の制御回路１０ｂが異常音診断開始指令はあるか否かを判定（ステップＳ１００）する。この判定は、予め任意の時刻に自動的に異常音診断開始指令を発行するように監視装置１０で設定されるものである。異常音診断開始指令を自動発行する日時は任意に設定可能であり、例えば乗客が少ない夜間に設定すれば、乗客の会話や足音等のノイズの少ない環境で音声データを取得して異常音診断を行うことができ、誤検知を低減させることができる。尚、異常音診断開始指令の設定は監視装置１０に設定しておく以外に、例えば管制センタ１２や営業所端末１３から電話回線１１経由で監視装置１０に送信したり、或いは保守点検業者が携帯する携帯端末から送信するようにしても良い。何れにせよ、係る判定の結果、指令がなければ係る判定（ステップＳ１００）の前にリターンして係る処理を繰り返すが、指令があればエレベータは平常状態か否かを判定（ステップＳ１０１）する。この判定は、制御盤９から送信されるエレベータの運転動作状態を示す信号によりエレベータが平常状態であるか否かを判定するものであるが、ここでは乗りかご１がかご呼び及び乗り場（ホール）呼び無しの状態が３分以上続いている場合にエレベータを正常状態と判断する。係る判定の結果、平常状態でなければ（無しの状態が３分未満であれば）係る判定（ステップＳ１０１）の前にリターンして係る処理を繰り返すが、平常状態であれば（無しの状態が３分以上継続していれば）現在の乗りかご１のかご位置は最上階か否かを判定（ステップＳ１０２）する。
【００２６】
上記判定の結果、最上階でなければ最上階にかご呼び作成（ステップＳ１０３）する処理を行ってから係る判定（ステップＳ１０２）の前にリターンして係る処理を繰り返すが、最上階であれば保守運転に切替え、下階に走行（ステップＳ１０４）する処理を行う。最上階にかご呼び作成（ステップＳ１０３）する処理では、監視装置１０が制御盤９に指令を送信し、最上階にかご呼びを作成して乗りかご１を最上階へ走行させ、乗りかご１の位置が判定結果で最上階になるまで処理を繰り返す。ここでは、乗りかご１を一旦最上階に待機させてから異常音診断を実行する場合を説明しているが、監視装置１０に対して予め図示されない任意な診断開始階を記憶するための診断開始階記憶部を設け、その任意な診断開始階を基準として異常音診断を実行するようにしても良い。乗りかご１の最上階に到達後の保守運転に切替え、下階に走行（ステップＳ１０４）する処理では、同様に監視装置１０が制御盤９に指令を送信し、現在の乗りかご１の位置（最上階）よりも下階に乗りかご１を走行させるが、この後は監視装置１０が制御盤９から乗りかご１の走行運転状態に関する信号を受信し、乗りかご１が次の乗り場階床に到達する手前となる所定の距離として、例えば最上階から１０００ｍｍ以上走行したか否かを判定（ステップＳ１０５）する。
【００２７】
上記判定の結果、１０００ｍｍ未満の走行であれば先の保守運転に切替え、下階に走行（ステップＳ１０４）する処理の前にリターンして１０００ｍｍ以上の走行が判定されるまでそれ以後の処理を繰り返すが、１０００ｍｍ以上の走行であれば監視装置１０が制御盤９に指令を送信し、乗りかご１を停止させるかご停止（ステップＳ１０６）の処理を行う。尚、ここでは乗りかご１の位置が最上階から１０００ｍｍ以上の下方位置で停止させてから異常音診断を行う場合を説明しているが、監視装置１０に対して予め図示されない任意な診断開始位置（即ち、最上階から下方への距離）を記憶するための診断開始位置記憶部を設け、その任意な診断開始位置を基準として異常音診断を実行するようにしても良い。
【００２８】
この後、監視装置１０は制御盤９に指令を送信し、制御盤９がドア制御装置６にドア開閉指令を送信することにより、乗りかご１のかごドア２を開閉し、開端部の音声データを各インターホン（かご内インターホン３及びかご上インターホン４）でサンプリング（ステップＳ１０７）する処理を行う。かごドア２の開閉時には、ドア制御装置６が電動機５を回転駆動してかごドア２を所定の動作パターンで開閉動作させる。最上階から下方へ乗りかご１が移動させられるとき、最上階の乗り場（ホール）ドアは乗りかご１におけるかごドア２との係合が解放されることになるため、かごドア２の開閉に連動せずに閉状態を維持する。勿論、最上階でなく、他の階から異常音診断が行われる場合においても、同様に乗りかご１がその階の乗り場から遠ざかって停止し、その乗り場の乗り場ドアが閉状態を維持するため、乗り場ドアの開閉動作音や乗り場から伝わる人声等の外部からのノイズが低減され、乗りかご１におけるかごドア２の開閉動作に伴う動作音を集音して適確に異常音の発生を診断することができる。かご内インターホン３及びかご上インターホン４による音声データ（ドア動作音データ）の集音は、かごドア２の開閉動作が終了するまで行われ、監視装置１０ではかごドア２の開端部まで開前後の各数秒間において集音される音声データをサンプリングして音声データ記憶部１０ｄに記憶する。かごドア２が開端部まで開く前後の各数秒の値は、かごドア２の開閉速度に応じて任意に設定できる。このような音声データのサンプリングにより、異常音が発生し易いドア開端部までかごドア２が開いたときにおける音声データを取得できるため、かごドア２の開閉動作に伴う異常音の診断を適確に行うことができる。因みに、かご内インターホン３及びかご上インターホン４の両方から集音して音声データを取得する代わりに何れか一方のみから音声データを取得するようにしても良い。
【００２９】
更に、監視装置１０は、音声データ記憶部１０ｄに記憶した音声データが異常音の発生に該当するか否かをチェックするため、予め異常音閾値記憶部１０ｃに記憶した異常音閾値と音声データ記憶部１０ｄに記憶した音声データとを比較し、音声データが異常音閾値を超過しているか否かを判定（ステップＳ１０８）する処理を行う。この判定の結果、音声データが異常音閾値を超過していればドア開閉時異常音検出と診断してその旨を電話回線１１を介して営業所端末１３（管制センタ１２についても対象にして良い）に通知（ステップＳ１０９）してから監視装置１０が制御盤９に指令を送信し、乗りかご１を現在の位置より最上階へ走行させるように保守運転に切替え、最上階に走行（ステップＳ１１１）する処理を行うが、音声データが異常音閾値を超過していなければドア開閉時異常音無しと診断し、その旨を電話回線１１を介して営業所端末１３（管制センタ１２についても対象にして良い）に通知（ステップＳ１１０）してから同様に監視装置１０が制御盤９に指令を送信し、乗りかご１を現在の位置より最上階へ走行させるように保守運転に切替え、最上階に走行（ステップＳ１１１）する処理を行う。
【００３０】
最後に、監視装置１０は、制御盤９から受信した乗りかご１の位置に関する信号に基づいて乗りかご１が最上階に到達したか否かを判定（ステップＳ１１２）する処理を行う。この判定の結果、最上階に到達していなければ、保守運転に切替え、最上階に走行（ステップＳ１１１）する処理の前にリターンして最上階の到達が判定されるまでそれ以後の処理を繰り返すが、最上階に到達していれば監視装置１０は、制御盤９に指令を送信して乗りかご１の走行を停止させ、乗りかご１の運転モードを保守運転から平常運転に切替えることにより、かごを停止し、平常運転に切替え（ステップＳ１１３）する処理を行ってから処理手順を終了する。
【００３１】
図４は、監視装置１０の制御回路１０ｂにより診断された音声データ（ドア動作音データ）を例示した波形図であり、同図（ａ）は異常音の発生要因が存在しない正常時の波形図、同図（ｂ）は異常音の発生要因が存在する異常音発生時の波形図である。図４（ａ）を参照すれば、ドアの開閉状況に応じた時間経過に対する音量レベルを示す正常時の波形では、かご内インターホン３からのかご内音及びかご上インターホン４からのかご上音の何れにおいても異常音の発生要因が存在しないため、かごドア２の開端部まで開前後の各数秒（ｘ秒）間において集音される音声データをサンプリングした波形の音量は、異常音閾値未満のレベルに留まり、かご内音の摺動音のみが存在する正常状態と診断できるものとなっている。これに対し、図４（ｂ）を参照すれば、ドアの開閉状況に応じた時間経過に対する音量レベルを示す異常音発生時の波形では、かご内インターホン３からのかご内音及びかご上インターホン４からのかご上音の何れにおいても異常音の発生要因が存在するため、かごドア２の開端部まで開前後の各数秒（ｘ秒）間において集音される音声データをサンプリングした波形の音量は、異常音閾値を超過した閾値超過異常検出レベルに達しており、異常音検出の異常発生状態を診断できるものとなっている。
【００３２】
以上に説明したように、実施例１に係るエレベータ用異常音診断システムでは、監視装置１０が制御盤９に対して乗りかご１を乗り場から離れた位置に停止させるための指令信号を送出し、制御盤９により乗りかご１を乗り場から離れた位置に停止させ、その状態でかごドア２を開閉動作させたときに発生するドア動作音をかご内インターホン３及びかご上インターホン４により集音（このとき、乗り場に設けられた乗り場ドアは閉状態となっている）したドア動作音データを音声データとして用いて異常音の診断を行うため、かごドア２の開閉動作に伴う異常音を外部からのノイズの混入を極力回避させて誤検出を低減させた上で適確に検出することができ、確実に異常音発生を診断することができる。特に、実施例１に係るエレベータ用異常音診断システムでは、かご上インターホン４を乗りかご１上のドア開端部近傍に設けたことにより、かごドア２の異常音が発生し易い箇所近傍で集音した音声データ（ドア動作音データ）に基づいて異常音を診断するため、一層適確に精度良く異常音を診断できる。
【００３３】
尚、上述した実施例１に係るエレベータ用異常音診断システムの構成は、あくまでも一例であって、形態上では種々変更することが可能である。例えば集音手段として、インターホンを用いる例を説明したが、開示したかご内インターホン３、かご上インターホン４に代えて、専用のマイクロフォンを用いても良い。また、かご内インターホン３、かご上インターホン４からの音声データ（ドア動作音データ）を用いて異常音診断する場合を説明したが、これらの何れか一方のみが異常音閾値を超えた場合に異常音の検出及び診断を行うようにしても良い。従って、本発明のエレベータ用異常音診断システムは、実施例１で開示した構成のものに限定されない。
【符号の説明】
【００３４】
１  乗りかご
２  かごドア
３  かご内インターホン
４  かご上インターホン
５  電動機（モータ）
６  ドア制御装置
７  ドア用案内レール
８  かご用案内レール
９  制御盤
９ａ、１０ａ、１２ａ  Ｉ／Ｆ回路
９ｂ、１０ｂ、１２ｂ  制御回路
１０  監視装置
１０ｃ  異常音閾値記憶部
１０ｄ  音声データ記憶部
１１  電話回線
１２  管制センタ
１３  営業所端末
【図１】
2013049546.tif 000003
【図２】
2013049546.tif 000004
【図３】
2013049546.tif 000005
【図４】
2013049546.tif 000006